(57)【要約】      （修正有）【課題】光学箱に対する各種作業において、位置決め用突起部の変形あるいは折れを抑制することができる光走査装置を提供する。【解決手段】光学箱９０に設けられた位置決めボス９３ａよりも突出した保護用突起部９５ａ・９５ｂを光学箱９０に一体的に設ける。光学箱９０は、光学箱に対する前記カバー７０の位置を決めるための位置決め用突起であって、光学箱のカバーに対する対向面から立設する位置決めボス９３ａと、位置決め用突起を保護するために対向面から立設する保護用突起９５ａ・９５ｂと、を備え、位置決め用突起および保護用突起は光学箱と一体的に設けられており、保護用突起の高さは位置決め用突起の高さよりも高い。【選択図】図３
2017032863.tif 000002
【特許請求の範囲】
【請求項１】
レーザ光を出射するレーザ光源を備える光走査装置であって、
前記レーザ光源から出射されたレーザ光が感光体上を走査するように前記レーザ光を偏向する回転多面鏡と、前記回転多面鏡によって偏向されたレーザ光を前記感光体上に導くレンズ及びミラーと、を含む光学部材と、
前記光学部材が取り付けられる光学箱と前記光学箱を閉塞するカバーとを含む筺体と、を有し、
前記光学箱は、前記光学箱に対する前記カバーの位置を決めるための位置決め用突起であって、前記光学箱の前記カバーに対する対向面から立設する位置決め用突起と、前記位置決め用突起を保護するために前記対向面から立設する保護用突起と、を備え、
前記位置決め用突起および保護用突起は前記光学箱と一体的に設けられており、
前記保護用突起の高さは前記位置決め用突起の高さよりも高いことを特徴とする光走査装置。
【請求項２】
前記光学箱は複数の前記位置決め用突起を有し、前記複数の位置決め用突起それぞれの近傍に異なる保護用突起が設けられていることを特徴とする請求項１に記載の光走査装置。
【請求項３】
前記光学箱は、少なくとも３つの前記保護用突起を備え、
前記少なくとも３つの保護用突起の上面が同一平面に含まれ、かつ前記少なくとも３つの保護用突起によって定義される多角形の内部に前記光走査装置の重心が位置するように、前記少なくとも３つの保護用突起が前記光学箱に形成されていることを特徴とする請求項１または２に記載の光走査装置。
【請求項４】
前記少なくとも３つの保護用突起が台上に接触した状態において前記光学箱は当該台上において安定した姿勢を保ち、当該姿勢において前記位置決め用突起は前記台に接触しないことを特徴とする請求項３に記載の光走査装置。
【請求項５】
前記光学箱は前記カバーが接触する接触部を備え、前記保護用突起は前記カバーの外縁の外側に設けられていることを特徴とする請求項１乃至４いずれか１項に記載の光走査装置。
【発明の詳細な説明】
【技術分野】
【０００１】
電子写真方式の画像形成装置に搭載される光走査装置に関する。
【背景技術】
【０００２】
電子写真方式の画像形成装置は光走査装置を備える。光走査装置は、感光体を走査するレーザ光を出射する。画像形成装置は、レーザ光によって走査されることによって感光体上に形成された静電潜像をトナーによって現像し、現像されたトナー像を記録媒体に転写する。そして、画像形成装置は、記録媒体に転写されたトナー像を定着装置によって記録媒体上に定着し、当該記録媒体を出力する。
【０００３】
光走査装置は、レーザ光を出射するレーザ光源、レーザ光が感光体上を走査するようにレーザ光源から出射されたレーザ光を偏向する回転多面鏡（以下、ポリゴンミラー）、ポリゴンミラーによって偏向されたレーザ光を感光体上に導くレンズやミラーを備える。ポリゴンミラー、レンズ、ミラーなどの光学部材は、光学箱（筺体）に収容されている。光学箱はカバーによって閉塞される。
【０００４】
特許文献１は光学箱に対するカバーの位置を決めるための位置決め突起（位置決めピン）を備える光走査装置を開示している。特許文献１の光走査装置の光学箱には突起状の位置決め突起が設けられている。一方、カバーには位置決めピンを通すための穴が設けられている。光走査装置の組立時、作業者は、光学箱の位置決め突起をカバー部材の穴に通し、その状態でカバーを光学箱にビスあるいは接着剤によって固定することによって、簡単にカバーを光学箱に取り付けることができる。
【先行技術文献】
【特許文献】
【０００５】
【特許文献１】特開平９−４３５２５号
【発明の概要】
【発明が解決しようとする課題】
【０００６】
しかしながら、特許文献１に記載の位置決め用突起は光学箱に対する各種作業において変形あるいは折れてしまうという可能性があった。
【課題を解決するための手段】
【０００７】
本願発明の光走査装置は、レーザ光を出射するレーザ光源を備える光走査装置であって、前記レーザ光源から出射されたレーザ光が感光体上を走査するように前記レーザ光を偏向する回転多面鏡と、前記回転多面鏡によって偏向されたレーザ光を前記感光体上に導くレンズ及びミラーと、を含む光学部材と、前記光学部材が取り付けられる光学箱と前記光学箱を閉塞するカバーとを含む筺体と、を有し、前記光学箱は、前記光学箱に対する前記カバーの位置を決めるための位置決め用突起であって、前記光学箱の前記カバーに対する対向面から立設する位置決め用突起と、前記位置決め用突起を保護するために前記対向面から立設する保護用突起と、を備え、前記位置決め用突起および保護用突起は前記光学箱と一体的に設けられており、前記保護用突起の高さは前記位置決め用突起の高さよりも高いことを特徴とする。
【発明の効果】
【０００８】
光学箱にカバーを位置決めするための位置決め用突起部よりも突出した突起部を設けることで位置決め用突起部の変形あるいは折れを抑制することができる。
【図面の簡単な説明】
【０００９】
【図１】画像形成装置の断面図
【図２】実施例１にかかる光走査装置の上面図
【図３】実施例１にかかる光走査装置および感光ドラムの断面図
【図４】実施例１にかかる光走査装置の上方斜視図
【図５】実施例１にかかる光走査装置の下方斜視図
【図６】実施例１にかかる光走査装置のカバーと光走査装置の重心を示す図
【図７】実施例２にかかる光走査装置の上方斜視図
【発明を実施するための形態】
【００１０】
以下、図面を参照して実施例を説明する。ただし、この実施例に記載されている構成部品の寸法、材質、形状それらの相対配置などは、発明が適用される装置の構成や各種条件によって適宜変更されるべきものであり、この発明の範囲を以下の実施例に限定する趣旨のものではない。
【実施例１】
【００１１】
（画像形成装置）
まず、図１を用いて本実施例にかかる画像形成装置について説明する。図１は画像形成装置１の断面概略図である。画像形成装置１は原稿を読み取るための読取装置２およびオートマティック・ドキュメント・フィーダー５（ＡＤＦ）を備える。読取装置２は、原稿台ガラス２０、原稿台ガラス２０上にセットされた原稿Ｐ１にＬＥＤなどの原稿照射用光源２１１、原稿照射用光源２１１からの光を原稿Ｐ１に向かって反射する反射板２１２を備える。また、読取装置２は、反射ミラー２１３・２１４・２２２、集光レンズ２２３、および光電変換素子２２４（ＣＣＤあるいはＣＭＯＳなど）を備える。光源２１１、反射板２１２、反射ミラー２１３・２２１・２２２は、不図示のキャリッジに一体的に保持されている。原稿台ガラス２０上にセットされた原稿を読み取る際、キャリッジは図１中の矢印方向に移動することによって原稿をスキャンする。
【００１２】
原稿台ガラス２０上に載置された原稿あるいはＡＤＦ５によって搬送された原稿からの反射光は、反射ミラー２１１・２２１・２２２によって集光レンズ２２３に導かれる。集光レンズ２２３は入射した光を光電変換素子２２４に集光させる。光電変換素子２２４は光を受光することによって読取信号を生成する。読取信号は不図示の画像データ生成部に入力される。
【００１３】
画像データ生成部は読取信号あるいはＰＣなどの外部情報装置から入力された画像信号に基づいて画像データを生成する。後述する光走査装置６に備えられるレーザ光源は画像データに基づいてオン／オフ制御される。
【００１４】
画像形成装置１は画像形成部３を備える。画像形成部３は、感光体であるところの感光ドラム３１、現像器３２、転写装置３３、クリーナ３４、除電器３５、帯電器３６を含む。
【００１５】
光走査装置６は画像データに基づいてレーザ光を出射する。光走査装置６から出射されたレーザ光は、帯電器３６によって表面が帯電された感光体であるところの感光ドラム３１を露光する。レーザ光に露光されることによって感光ドラム３１上に静電潜像が形成される。図１において感光ドラム３１は時計周りに回転している。感光ドラム３１上に形成された静電潜像は現像器３２によって現像される。現像器３２によって現像されたトナー像は感光ドラムの回転によって感光ドラム３１と転写装置３３との間の転写部に搬送される。
【００１６】
本実施例の画像形成装置１は給紙カセット１０ａ・１０ｂを備える。画像形成装置１は、給紙カセット１０ａおよび１０ｂそれぞれに対するピックアップローラ１２、搬送ローラ１３・１４を含む給紙機構を備える。給紙機構のピックアップローラ１２は給紙カセットに収容されたシート束から１枚ずつシートピックアップして搬送ローラ１３と搬送ローラ１４の間に送り込む。搬送ローラ１３は反時計回りに回転し、搬送ローラ１４は時計周りに回転する。搬送ローラ１３と搬送ローラ１４に挟持されたシートはレジストローラ対１５に向けて搬送される。レジストローラ対１５は紙の斜向を補正するために設けられている。シートはレジストローラに突き当たることによってシートの向きが補正され、向きが補正されたシートはレジストローラ対１５によって転写部に搬送される。
【００１７】
転写装置３３は転写部に搬送されたシートに感光ドラム３１上のトナー像を転写する。トナー像が転写されたシートは搬送ベルト１６によって定着器４に搬送される。定着器４はシートに転写されたトナー像を加熱・加圧することによって定着させる。定着器４を通過したシートは排紙ローラ１７・１８によって排紙トレー８１に排紙される。
【００１８】
転写部においてシートに転写されずに感光ドラム３１上に残留した一部のトナーはクリーナ３４によって感光ドラム３１上から除去される。クリーナ３４によって残留トナーが除去された感光ドラム３１は除電器３５によって除電され、帯電器３６によって再び帯電される。
【００１９】
なお、画像形成装置の実施の形態を上記に限られるものではない。図１の画像形成装置はモノクロの画像形成装置であるが、実施の形態はカラーの画像形成装置であってもよい。また、図１の画像形成装置１は感光ドラム３１からシートに直接トナー像を転写する画像形成装置であるが、中間転写体を介して感光ドラム３１からシートにトナー像を転写する画像形成装置であっても良い。
【００２０】
（光走査装置）
次に光走査装置６について説明する。図２は光走査装置６の上面図である。図３は光走査装置６の概略断面図である。図４は光走査装置６の上側斜視図である。図５は光走査装置６の下側斜視図である。
【００２１】
光走査装置６はアルミ材質の光学箱９０を備える。光学箱９０にはレーザ光を出射する光源ユニット６２が取り付けられている。光源ユニット６２は、不図示の半導体レーザおよびその駆動電気基板と、鏡筒６２ａ、コリメータレンズ６２ｂを備える。半導体レーザから出射されたレーザ光が鏡筒６２ａ内部を通過し、そのレーザ光はコリメータレンズ６２ｂによって平行光に変換される。コリメータレンズ６２ｂを通過したレーザ光は図２の紙面上下方向に屈折力を有するシリンダーレンズ６３によって集光される。
【００２２】
図２及び図３に示すように、光学箱９０の内部には偏向装置６１が取り付けられている。偏向装置６１は、ポリゴンミラー６１ａ（回転多面鏡）、回路基板６１ｂ、駆動モータ６１ｃを備える。ポリゴンミラー６１ａは複数の反射面を備え、それぞれの反射面によって光源ユニット６２から出射されたレーザ光を偏向する。ポリゴンミラー６１ａは駆動モータ６１ｃのロータに固定されている。駆動モータ６１ｃは回路基板６１ｂに嵌合されており、回路基板６１ｂはビスによって光学箱９０に固定されている。駆動モータ６１ｃは回路基板６１ｃから電流が供給されることによって図２において回転軸を中心に反時計回りに回転する。
【００２３】
図３に示すように、ポリゴンミラー６１ａによって偏向されたレーザ光は、トーリック６４ａおよび６４ｂを通過する。トーリックレンズ６４ｂを通過したレーザ光は、反射ミラー６６ａによって一旦感光ドラム３１から遠ざかる方向に反射された後、反射ミラー６６ｂによって感光ドラム３１に向けて反射される。反射ミラー６６ｂによって反射されたレーザ光は、光学箱９０に設けられた開口６８および開口を塞ぐ透明な防塵窓６７を通過して感光ドラム３１上を走査する。トーリックレンズ６４ａおよび６４ｂは、ポリゴンミラー６１ａによって偏向されたレーザ光を感光ドラム上に所定のスポット径で結像するレンズであり、走査光学系の一要素を構成している。防塵ガラス６７は光学箱９０の外側から両面テープにて光学箱９０に固定されている。防塵ガラス６７はトナーや塵挨等の付着により汚れることがある。そのため、防塵ガラス６７が汚れた場合、防塵ガラス６７の清掃や防塵ガラス６７の交換を行う必要がある。
【００２４】
（光学箱の防塵構成）
光学箱９０の防塵機構について図４、図５、および図６を用いて説明する。図４に示すように光学箱９０には蓋部材としてのカバー７０が取り付けられる。カバー７０は板金である。カバー７０が取り付けられることによって、ポリゴンミラー６１ａなどが配置される空間は外部から略閉塞される。
【００２５】
光学箱９０にはリブ９４（接触部）が一体的に形成されている。図４に示すようにリブ９４は光学箱９０の内部の側壁を囲むように光学箱９０から立設している。即ち、リブ９４は周状に光学箱９０に形成されている。リブ９４とカバー７０との間には粘着性を有する合成ゴム７１（図６ａ参照）が挟み込まれる。図６ａに示すように、合成ゴム７１はリブ９４に対向するように周状にカバーに付着している。なお、合成ゴム７１をリブ９４に付着させた状態でカバー７０を光学箱９０に取り付けても良い。
【００２６】
合成ゴム７１を用いない場合、リブ９４とカバー７０との間に微小な隙間が生じてしまい、その隙間から塵挨やトナーなどが浸入してする。すると、光学箱９０内部の光学部材が汚れてしまう。光学部材の汚れを抑制するためにリブ９４とカバー７０との間に防塵部材として合成ゴム７１を挟み込んでいる。なお、防塵部材として合成ゴム以外の材質（例えば、発泡剤）の弾性を有する部材を用いても良いが、本実施例の光走査装置では合成ゴムの粘着性によって光学箱９０とカバー７０両者を接着・固定することで光学箱９０の密閉性の向上を期待できるため、防塵部材に合成ゴムを採用している。
【００２７】
図４に示すように、光学箱９０には円柱の位置決めボス９３ａおよび位置決めボス９３ｂを備える。位置決めボス９３ａ・９３ｂは、光学箱９０に対するカバー７０の位置の基準となる位置決め用突起部である。位置決めボス９３ａおよび９４ｂはカバー７０がリブ９４に接触した状態においてカバー７０が対向する光学箱９０の対向面から立設する。位置決めボス９３ａおよび９４ｂはリブ９４の外側から立設している。位置決めボス９３ａおよび９４ｂは光学箱９０に一体的に設けられている。位置決めボス９３ａの断面の径はφ３ｍｍである。位置決めボス９３ａの高さは７ｍｍである。位置決めボス９３ｂの高さはφ３ｍｍである。リブ９４の高さは７ｍｍである。位置決めボス９３ａ・９３ｂのスラスト方向（図４のＺ軸方向）における位置決めボス９３ａおよび位置決めボス９３ｂの高さはリブ９４の高さよりも高い。
【００２８】
カバー７０には位置決めボス９３ａを通過させるための貫通穴７３ａと位置決めボス９３ｂを通過させるための貫通穴７３ｂが形成されている。貫通穴７３ａの形状は円形であり、貫通穴７３ｂの形状は長穴である。光走査装置の組立時に位置決めボス９３ａを貫通穴７３ａに通過させ、位置決めボス９３ｂを貫通穴７３ｂに通過させることによって、カバー７０は光学箱９０に対して概ね適切な位置を取る。
【００２９】
カバー７０には、ビス１０１ａ・１０１ｂ・１０１ｃ・１０１ｄ・１０１ｅ・１０１ｆ・１０１ｇをそれぞれ通過させるための貫通穴７４ａ・７４ｂ・７４ｃ、７４ｄ・７４ｅ・７４ｆ・７４ｇが設けられている。光学箱９０には、ビス１０１ａ・１０１ｂ・１０１ｃ・１０１ｄ・１０１ｅ・１０１ｆ・１０１ｇがそれぞれ螺合する螺合穴１１１ａ・１１１ｂ・１１１ｃ・１１１ｄ・１１１ｅ・１１１ｆ・１１１ｇが形成されている。
【００３０】
各螺合穴に各ビスを螺合することによって各ビスのビス頭によってカバー７０が光学箱９０に向けて押圧され、それによって合成ゴム７１がカバー７０と光学箱９０のリブ９４によって圧縮される。
【００３１】
さらに、本実施例の光走査装置のように、蓋部材７０固定用のビス１０１ａ・１０１ｂ・１０１ｃ・１０１ｄ・１０１ｆ・１０１ｇを通過させる貫通穴７４ａ・７４ｂ・７４ｃ・７４ｄ・７４ｆ・７４ｇのうちいくつかの貫通穴が合成ゴム７１よりも内側に配置される場合、ビス１０１ａ〜ｇの頭部にてビス通過穴７４ａ〜ｇを確実に封止する必要があるため、光学箱９０に対してカバー７０を精度高く位置決めすることで、ビス通過穴７４ａ〜ｇの穴の径を小さくすることでき、安定した密閉性の確保を実現させることが可能となる。
【００３２】
直径約３ｍｍ、高さ約７ｍｍの位置決めボス９３ａ・９３ｂの先端に１０ｋｇｆの力がかかると、アルミの引張強さ（３１０ＭＰａ）とほぼ同等となる。本実施例における光学箱９０の重量は約３ｋｇであり、約３．３Ｇ程度の衝撃で発生する力である。この数値は、光学箱９０を成形するときの型の離形時や光学箱９０の運搬時における外力の付加などで発生し得る。そのため、位置決めボス９３ａ・９３ｂを保護する機構を設ける必要がある。
【００３３】
位置決めボス９３ａ・９３ｂが変形あるいは折れてしまうと、光学箱９０に対してカバー７０の位置を決めることができなくなり、光走査装置の組立時にリブ９４と合成ゴム７１との位置が一致せず合成ゴムが光学箱９０とカバー７０とによって圧縮されず、密閉性を確保できず、光走査装置６の防塵性を著しく低下させる懸念がある。
【００３４】
（位置決めボス保護構成）
そこで、本実施例の光走査装置の光学箱９０には位置決めボス９３ａ・９３ｂを保護する保護機構が設けられている。図２、図３、図４、図６を用いて位置決めボス９３ａ・９３ｂの保護機構について説明する。
【００３５】
光学箱９０には、位置決めボス９３ａ・９３ｂを保護するための保護部であるところの保護用突起部９５ａ・９５ｂ・９５ｃ・９５ｄ（凸部）が光学箱９０に一体的に設けられている。突起部９５ａ・９５ｂ・９５ｃ・９５ｄは、位置決めボス９３ａ・９３ｂのスラスト方向に上記対向面から突出している。
【００３６】
図２に示すように、ポリゴンミラー６１ａの回転軸方向から光学箱９０を見たときに、突起部９５ａ・９５ｂ・９５ｃ・９５ｄはリブ９４の外側に配置されている。突起部９５ａは、突起部９５ａ・９５ｂ・９５ｃ・９５ｄの中で最も位置決めボス９３ａに近い位置に配置されている。突起部９５ａは位置決めボス９３ａよりも光学箱９０の外周面側に配置されている。また、突起部９５ｂは、突起部９５ａ・９５ｂ・９５ｃ・９５ｄの中で最も位置決めボス９３ｂに近い位置に配置されている。突起部９５ｂは位置決めボス９３ｂよりも光学箱９０の外周面側に配置されている。
【００３７】
突起部９５ａ・９５ｂ・９５ｃ・９５ｄは、リブ９４に当接するカバー７０を避けた位置に配置されている。本実施例の突起部９５ａ・９５ｂ・９５ｃ・９５ｄは、リブ９４に当接するカバー７０の外縁に沿うように光学箱９０に形成されている。
【００３８】
また、図６（ｂ）に示すように、突起部９５ａ・９５ｂ・９５ｃ・９５ｄの上面の任意の点を結んでできる面積が最大となる多角形（図６（ｂ）における点線）の内側に光走査装置の重心が位置するように突起部９５ａ・９５ｂ・９５ｃ・９５ｄが光学箱９０に形成されている。
【００３９】
突起部９５ａの長手方向の長さは３７ｍｍである。突起部９５ｂの長手方向の長さは３７ｍｍである。突起部９５ｃの長手方向の長さは３７ｍｍである。突起部９５ｄの長手方向の長さは８７ｍｍである。突起部９５ａ・９５ｂ・９５ｃ・９５ｄの厚みは５ｍｍである。突起部９５ａ・９５ｂ・９５ｃ・９５ｄの高さは１４．２ｍｍである。
【００４０】
図３に示すように、Ｚ軸方向において突起部９５ａの上面および突起部９５ｂの上面（先端）は位置決めボス９３ａの先端よりも突出している。図示しないが、Ｚ軸方向において、突起部９５ａ・９５ｂ・９５ｃ・９５ｄの上面は位置決めボス９３ａおよび位置決めボス９３ｂの先端よりも突出している。言い換えれば、カバー７０が平面であり、リブ９４に接触するカバー７０を基準の高さとした場合、突起部９５ａ・９５ｂ・９５ｃ・９５ｄの高さは位置決めボス９３ａ・９３ｂの高さよりも高い。
【００４１】
突起部９５ａは位置決めボス９３ａの近傍に設けられている。そのため、突起部９５ａは光学箱９０の外周面からの外力から位置決めボス９３ａを保護する機能を果たす。また、突起部９５ｂは位置決めボス９３ｂの近傍に設けられている。そのため、突起部９５ｂは光学箱９０の外周面からの外力から位置決めボス９３ｂを保護する機能を果たす。
【００４２】
また、図３に示すように、突起部９５ａの上面と突起部９５ｂの上面は同一平面に含まれる。図示しないが、突起部９５ａの上面、突起部９５ｂの上面、突起部９５ｃの上面、突起部９５ｄの上面は同一平面に含まれる。
【００４３】
光走査装置は、画像形成装置から取り外されて内部の光学部材を清掃する、あるいは光学部材を交換するなどのメンテナンスを施されることがある。メンテナンスの１つとして防塵窓６７の清掃・交換がある。防塵窓６７のメンテナンスを行う場合、作業者は防塵窓６７が鉛直方向上側を向くように光学箱９０を作業台に載置する。このとき、光学箱９０に設けられた突起部９５ａの上面、突起部９５ｂの上面、突起部９５ｃの上面、突起部９５ｄの上面が作業台に接触する。即ち、光学箱９０は突起部９５ａ・９５ｂ・９５ｃ・９５ｄによって作業台上において安定した姿勢を保つ。そして、突起部９５ａ・９５ｂ・９５ｃ・９５ｄによって作業台上に安定した姿勢を保った光学箱９０の位置決めボス９３ａ・９３ｂは、作業台に接触しない。
【００４４】
各突起部の上面が同一平面に含まれ、かつ複数の突起部によって定義される多角形の内部に光走査装置の重心が位置するよう光学箱９０は構成されている。そのため、作業者によって防塵窓６７が鉛直方向上側を向くように作業台あるいは搬送台に光学箱９０が載置されても、光学箱９０は作業台上において安定した姿勢を保つことができる。
【００４５】
（実施例２）
次に、図７を用いて第２の実施例を説明する。第１の実施例と第２の実施例との違いは位置決めボス９３ａ・９３ｂを保護する突起部の形状である。その他の構成は第１の実施例と同一であるため、詳細説明を省略する。
【００４６】
図７に示すように、実施例２の光学箱９０は、位置決めボス９３ａ・９３ｂを保護する突起部９５が略周状に光学箱９０の外周に沿って配設されている点である。第１の実施例の突起部は複数に分離した突起部であるが、本実施例の突起部９５は１つの突起部である。
【００４７】
突起部９５の上面は位置決めボス９３ａ・９３ｂよりも位置決めボス９３ａ、９３ｂのスラスト方向に突出している。また、突起部９５の上面は同一面に含まれる。また、ポリゴンミラー６１ａの回転軸方向から光学箱９０を見たときに光走査装置６の重心が突起部９５に囲まれるように、突起部９５は光学箱９０に形成されている。光学箱９０を上下反転させて平坦な作業台に載置しても、作業台上において光学箱９０は安定した姿勢を保つことができる。
【符号の説明】
【００４８】
７０  カバー
７１  合成ゴム
９０  光学箱
９３ａ、９３ｂ  位置決めボス
９５ａ、９５ｂ、９５ｃ、９５ｄ  突起部
【図１】
2017032863.tif 000003
【図２】
2017032863.tif 000004
【図３】
2017032863.tif 000005
【図４】
2017032863.tif 000006
【図５】
2017032863.tif 000007
【図６】
2017032863.tif 000008
【図７】
2017032863.tif 000009